(57)【要約】【課題】端子のがた付きを防止する。【解決手段】スタータ９０に突成されたポスト９１に固定される板状のスタータ端子１０と、スタータ端子１０が載せられる本体部３１、及びスタータ端子１０の上面を覆うようにして本体部３１に取り付けられる蓋部３２を備えた端子保護カバー３０とを備える。スタータ端子１０には、係止孔１８が板厚方向に貫通して形成されており、端子保護カバー３０には、本体部３１に載せられたスタータ端子１０の係止孔１８に適合して嵌入される係止突部６８が形成されている。これにより、端子保護カバー３０内におけるスタータ端子１０の遊動が規制され、端子のがた付きが抑えられる。【選択図】図４
2008288056.tif 000002
【特許請求の範囲】
【請求項１】
機器側のポストに固定される板状の端子と、
前記端子が載せられる本体部、及び前記端子の上面を覆うようにして前記本体部に取り付けられる蓋部を備えた端子保護カバーとを備え、
前記端子には、係止孔が板厚方向に貫通して形成されており、
前記端子保護カバーには、前記本体部に載せられた前記端子の前記係止孔に適合して嵌入される係止突部が形成されていることを特徴とする端子保護カバーに対する端子の取付構造。
【請求項２】
前記係止突部は前記蓋部に形成され、前記蓋部が前記本体部に閉状態で取り付けられるに伴い、前記係止突部が前記端子の前記係止孔に嵌入される構成であることを特徴とする請求項１に記載の端子の取付構造。
【請求項３】
前記係止突部は前記本体部に形成され、前記端子が前記本体部に載せられるに伴い、前記係止突部が前記端子の前記係止孔に嵌入される構成であることを特徴とする請求項１に記載の端子保護カバーに対する端子の取付構造。
【請求項４】
前記係止突部及び前記端子の前記係止孔は、前記端子の板面方向に間隔をあけた二箇所以上の位置に設定されていることを特徴とする請求項１ないし請求項３のいずれかに記載の端子保護カバーに対する端子の取付構造。
【請求項５】
前記係止突部は前記端子の前記係止孔への挿入方向に沿って傾斜する誘い込み部を有し、前記端子の係止孔の開口縁が前記誘い込み部の傾斜面上に当接可能となっていることを特徴とする請求項１ないし請求項４のいずれかに記載の端子保護カバーに対する端子の取付構造。
【発明の詳細な説明】
【技術分野】
【０００１】
本発明は、端子保護カバーに対する端子の取付構造に関する。
【背景技術】
【０００２】
スタータ等の機器に突設されたポストに接続される端子は車体側との短絡を防止する等のために端子保護カバーによって覆われている。例えば、特許文献１に記載の端子保護カバーは、上記端子が載せられる本体部と、端子の上面を覆うようにして本体部に取り付けられる蓋部とを備えている。端子は、ポストへの接続に先立って、本体部に形成されたリブの下方に端子の側縁部を潜り込ませるように位置させることにより、本体部に対して位置決めされた状態で組み込まれる。
【特許文献１】特開２００３−３１７８２３公報
【発明の開示】
【発明が解決しようとする課題】
【０００３】
上記の場合、本体部内における端子の遊動をしっかりと規制する手段を備えていないため、車両の走行中にがた付き音が発生する可能性があった。また、かかる端子のがた付きに起因して、端子の側縁と本体部の内面とが互いに擦れ合い、本体部の内面が傷付くおそれがあった。
【０００４】
本発明は上記のような事情に基づいて完成されたものであって、端子のがた付きを防止することを目的とする。
【課題を解決するための手段】
【０００５】
上記の目的を達成するための手段として、請求項１の発明は、機器側のポストに固定される板状の端子と、前記端子が載せられる本体部、及び前記端子の上面を覆うようにして前記本体部に取り付けられる蓋部を備えた端子保護カバーとを備え、前記端子には、係止孔が板厚方向に貫通して形成されており、前記端子保護カバーには、前記本体部に載せられた前記端子の前記係止孔に適合して嵌入される係止突部が形成されている構成としたところに特徴を有する。
【０００６】
請求項２の発明は、請求項１に記載のものにおいて、前記係止突部は前記蓋部に形成され、前記蓋部が前記本体部に閉状態で取り付けられるに伴い、前記係止突部が前記端子の前記係止孔に嵌入される構成であるところに特徴を有する。
【０００７】
請求項３の発明は、請求項１に記載のものにおいて、前記係止突部は前記本体部に形成され、前記端子が前記本体部に載せられるに伴い、前記係止突部が前記端子の前記係止孔に嵌入される構成であるところに特徴を有する。
【０００８】
請求項４の発明は、請求項１ないし請求項３のいずれかに記載のものにおいて、前記係止突部及び前記端子の前記係止孔は、前記端子の板面方向に間隔をあけた二箇所以上の位置に設定されているところに特徴を有する。
【０００９】
請求項５の発明は、請求項１ないし請求項４のいずれかに記載のものにおいて、前記係止突部は前記端子の前記係止孔への挿入方向に沿って傾斜する誘い込み部を有し、前記端子の係止孔の開口縁が前記誘い込み部の傾斜面上に当接可能となっているところに特徴を有する。
【発明の効果】
【００１０】
＜請求項１の発明＞
端子保護カバーの係止突部が端子の係止孔に適合して嵌入されることにより、端子の遊動が確実に規制され、端子保護カバーに対する端子のがた付きを抑えることができる。その結果、端子保護カバーの内面が端子のがた付きに起因して傷付くのを防止できる。
【００１１】
＜請求項２の発明＞
係止突部が蓋部に形成されているから、端子の上下方向のがた付きを高い精度で抑えることができる。また、蓋閉めに伴い、係止突部が係止孔に嵌入されるから、組み付け作業性が良好となる。
【００１２】
＜請求項３の発明＞
係止突部が本体部に形成され、端子が本体部に載せられるに伴い、係止突部が端子の係止孔に嵌入されるから、組み付け作業性がより良好となる。
【００１３】
＜請求項４の発明＞
係止突部及び端子の係止孔は端子の板面方向に間隔をあけた二箇所以上の位置に設定されているから、端子に対してその板面方向に沿って回動させようとする力が作用した場合に、その力の作用方向に端子が位置ずれするのを防止できる。
【００１４】
＜請求項５の発明＞
係止突部が端子の係止孔への挿入方向に沿って傾斜する誘い込み部を有するから、端子の組み付け作業性が良好となるのに加え、誘い込み部の傾斜面上に端子の係止孔の開口縁が当接可能であることから、端子の遊動を確実に規制できる。
【発明を実施するための最良の形態】
【００１５】
＜実施形態１＞
本発明の実施形態１を図１ないし図５によって説明する。本実施形態は、スタータ端子１０と、端子保護カバー３０とを備えて構成される。
【００１６】
スタータ端子１０は、導電性の金属板によって全体として帯板状に形成されており、その前端部でスタータ９０から突設された雄ねじ状のポスト９１に接続されるとともに、その後端部で電線９５に接続される。詳しくはスタータ端子１０は、図３に示すように、前後方向に延出される前部１１及び後部１２と、幅方向に延出される中間部１３とからなり、中間部１３を境として前部１１と後部１２が幅方向にオフセットして配置されている。
【００１７】
スタータ端子１０の前端は先端の尖がった三角形状をなし、その前端寄りの位置に、ポスト９１が貫通する取付孔１４が開口して形成されている。このスタータ端子１０の取付孔１４にポスト９１が貫通して保持され、次いでポスト９１にナット９２が螺合することにより、スタータ端子１０がスタータ９０に取り付けられる。一方、スタータ端子１０の後端部には電線９５における露出した芯線９６にかしめ圧着されるバレル状のかしめ部１５が対をなして形成されている。また、図５に示すように、スタータ端子１０の前部１１は、その後方側から前方側にかけて縦壁１６を介して一段落ちた形態とされ、その落ちた位置に取付孔１４を有する電気接触部１７が形成されている。縦壁１６の上下両端部には補強のため平面視菱形の叩きが入れられている。
【００１８】
そして、スタータ端子１０の中間部１３には、全周を閉じた１つの係止孔１８が板厚方向に貫通して形成されている。詳しくは係止孔１８は、幅方向に細長い平面視四角形状をなし、スタータ端子１０の幅方向中央部に配置されている。  
端子保護カバー３０はポリプロピレン等の合成樹脂材によって一体に形成され、図１に示すように、スタータ端子１０を受けて位置決め状態で収容する本体部３１と、本体部３１に対して揺動可能に設置される蓋部３２と、本体部３１に蓋部３２を開閉可能に連結させるヒンジ部３３とを備えている。
【００１９】
本体部３１は、スタータ端子１０の形状と対応するように、平面視においてその前部３４と後部３５とが中心軸を境として幅方向にオフセットする形態となっている。詳しくは本体部３１は、スタータ端子１０が載せられる支持面３６を有する底板３７と、底板３７の外縁の所定位置から立ち上げられてスタータ端子１０の幅方向の遊動を規制する側板３８とを備えている。本体部３１の前端部には、垂直壁３９を介して底板３７から一段落ちた位置に、スタータ９０におけるポスト９１の台座に嵌着される環状の包囲部４１が形成されており、この包囲部４１内にスタータ端子１０の電気接触部１７が収容される収容空間４２が開設されている。
【００２０】
また、本体部３１の後部３５には、スタータ端子１０のかしめ部１５の上方を覆う方形板状のカバー部４３が形成されている。カバー部４３は、対応する側板３８の上端に一対のヒンジ４４を介して開閉可能に連結され、閉状態ではこの側板３８と幅方向で対向する側板３８の上端との間に架橋される。カバー部４３におけるヒンジ４４と反対側の側縁には、カバーロック部４５が撓み可能に突出して形成されており、対応する側板３８の外面にはカバーロック部４５を受けるカバーロック受け部４６が形成されている。閉状態において、カバーロック部４５はカバーロック受け部４６に弾性的に係止することにより、カバー部４３が本体部３１に対して閉状態に保持されるようになっている。
【００２１】
端子保護カバー３０の後方は、底板３７、左右の両側板３８、及びカバー部４３によって前後両面が開放された角筒状をなし、その後端開口を通してスタータ端子１０に接続された電線９５が引き出される。カバー部４３の後端には閉状態において電線９５の被覆を押圧することで電線９５の遊動を抑える電線押さえリブ４７が突出して形成されている。
【００２２】
また、端子保護カバー３０の中間部（オフセット領域）の側板３８のうち前部側へ向けて平面視斜め配置とされる側板３８には、高さ方向に起立する係止片４９が形成されている。係止片４９は側板３８に入れられたスリット間において内外に撓み変形可能となっている。そして、係止片４９の先端部には係止爪５１が内向きに突出して形成されている。スタータ端子１０は底板３７に降ろされる過程で、スタータ端子１０の側縁が係止爪５１の斜面に摺動することによって係止片４９が外向きに撓み変形させられ、スタータ端子１０が底板３７の支持面３６に載せられると、係止片４９が弾性復帰して係止爪５１と底板３７の支持面３６との間にスタータ端子１０の側縁が挟まれるようになっている。
【００２３】
端子保護カバー３０の前部のうち上記斜め配置の側板３８に連なる側板３８には、後述するロックアーム６３が進入可能なロック受け部５２が形成されている。ロック受け部５２は側板３８の外面から門型に膨出する形態であり、高さ方向に貫通するロック溝５３を有している。ロック受け部５２におけるロック溝５３の外側の溝面には、ロック受け爪５４が突出して形成されている。
【００２４】
一方、蓋部３２は、本体部３１における中間部４８から前部３４に至るまでの形状と対応する平面視Ｌ字形をなし、閉状態においてスタータ端子１０の上面を間隔をあけて覆う覆い板５５と、覆い板５５の外縁の所定位置から立ち上げられた立板５６，５７と、覆い板５５に対して略直角に連なり閉状態のときに本体部３１側の側板３８と並び合う連繋板５８とを備えている。立板５６，５７は、包囲部４１と対応して配置された平面視門型の第１立板５６と、斜め配置の側板３８と対応して配置された第２立板５７とを備えている。第１立板５６の外側面には包囲部４１における段付き状の端面に嵌着される押さえ片５９が一体に形成されている。そして、第２立板５７の外側面には蓋部３２が閉状態のときに係止片４９の外側を覆って保護する保護片６１が一体に形成されている。
【００２５】
また、蓋部３２には、第１立板５６と第２立板５７との間に、蓋閉め用のロック部６２が形成されている。ロック部６２は、覆い板５５の側縁から立ち上げられたあと折り返し状に延出される撓み可能なロックアーム６３と、ロックアーム６３を挟んだ両側に立設された一対の保護壁６４とからなり、ロックアーム６３の延出端には解除時に押圧操作される操作部６５が階段状に形成されている。
【００２６】
蓋部３２が本体部３１に閉止される過程ではロックアーム６３が両保護壁６４とともにロック溝５３内に進入してロック受け爪５４との干渉により内向きに撓み変形させられ、蓋部３２が本体部３１に閉止されると、ロックアーム６３が弾性復帰してロック受け爪５４に引っ掛かり、もって蓋部３２が本体部３１に対して閉状態に保持される。この閉状態では、図４に示すように、操作部６５はロック受け部５２より外側に露出して配置されており、メンテナンス等の際にはここを押圧することで保持状態が解除される。また閉状態において、蓋部３２及びカバー部４３と、本体部３１との間には、前後方向に貫通する電線挿通路６６が形成されている。
【００２７】
そして、本体部３１の底板３７の側縁と蓋部３２の連繋板５８の側縁との間には、ヒンジ部３３が形成されており、さらにこのヒンジ部３３を挟んだ両側に、一対のサブヒンジ６７が形成されている。ヒンジ部３３は、いわゆるトグルヒンジとして構成され、蓋部３２の開閉動作の過程で、思案点を越えて閉止方向に変位することで蓋部３２に対して閉止方向の揺動力を付勢し、逆に、思案点を越えて開放方向に変位することで蓋部３２に対して開放方向の揺動力を付勢するように作用する。両サブヒンジ６７は、本体部３１に対する開閉動作の回動中心部を構成するものであり、ヒンジ部３３よりも薄肉で弾性変形容易とされ、蓋部３２に対してねじり方向の力が作用した場合に、ヒンジ部３３に過大な応力が作用するのを防止する役割をもっている。
【００２８】
さて、蓋部３２の覆い板５５の内面には、スタータ端子１０の係止孔１８と対応する位置に、１つの係止突部６８が形成されている。係止突部６８は、スタータ端子１０の係止孔１８と対応する幅方向に細長い断面四角形状をなし、蓋閉めの際に係止孔１８内に緊密に嵌入されて、スタータ端子１０を遊動規制状態に保持する役割をもっている。
【００２９】
係止突部６８の突出寸法は、連繋板５８の立ち上がり寸法とほぼ同じであって、蓋部３２が閉状態のときに、覆い板５５の下面（内面）と底板３７の支持面３６（上面）との間の離間距離にほぼ等しい寸法とされる。蓋部３２が閉状態のときには、底板３７の支持面３６に載せられたスタータ端子１０の下面と係止突部６８の先端面とは、ほぼ同じ高さに位置する。
【００３０】
また、係止突部６８の先端部には、その全周を面取りすることにより、係止孔１８への挿入方向に沿ってテーパ状に傾く誘い込み部６９が形成されており、蓋部３２が閉状態のときに、誘い込み部６９の斜面上に、係止孔１８の上面開口縁（入り口側開口縁）が全周に亘って圧着状態で当接するようになっている。つまり、誘い込み部６９の始端側の断面は係止孔１８の開口面より小さく、誘い込み部６９の終端側の断面は係止孔１８の開口面より大きくなっている。また、係止突部６８のうち誘い込み部６９を除く部分は、誘い込み部６９の終端側の断面形状に対応し、高さ方向の全体に亘って同一の断面形状とされる。
【００３１】
次に、本実施形態の作用を説明する。  
端子保護カバー３０は、図１及び図２に示すように、本体部３１に対して蓋部３２及びカバー部４３が全開された開状態で成形される。そこから、図３に示すように、本体部３１の底板３７の支持面３６に、電線９５付きのスタータ端子１０が上から載せられる。このとき、係止片４９の係止爪５１と底板３７との間にスタータ端子１０の右側の側縁を位置させることで、スタータ端子１０の浮き上がりを規制する。
【００３２】
続いて、カバー部４３を閉止してかしめ部１５を保護状態に置くとともに、このカバー部４３の閉止に伴い電線押さえリブ４７によって電線９５の遊動を規制した状態となす。また、カバー部４３の閉止操作と前後して蓋部３２の閉止操作を行う。それには、まず蓋部３２の全体をサブヒンジ６７を中心として、図２の矢線で示す反時計回り方向（カバー部４３の閉止方向とは逆方向）に揺動変位させる。この場合、蓋部３２の閉止操作に伴って変形するヒンジ部３３がトグルヒンジとして構成されるから、蓋部３２はその閉止動作の途中から閉状態へ一気に揺動付勢される。
【００３３】
上記において、蓋部３２の閉止動作が終盤に近づくと、係止突部６８がスタータ端子１０の係止孔１８内に上から進入し、さらに蓋部３２の閉止動作が完了するに伴い、係止突部６８が端子の係止孔１８内にその深さ方向の全体に亘って嵌入され、全方向についてスタータ端子１０の遊動を規制する。また蓋部３２の閉止動作が完了するに伴い、ロック部６２がロック受け部５２を弾性的に係止し、蓋部３２が閉状態に保持される。
【００３４】
ところで、スタータ端子１０が本体部３１に対して正しい位置で支持されていないと、係止孔１８が係止突部６８と対応位置せず、蓋部３２の閉止動作の途中で、係止突部６８の先端がスタータ端子１０の上面に当接することとなる。したがって、ロック部６２がロック受け部５２との係止位置に至らず、蓋部３２のロックがかからない状態となる。このように蓋部３２のロックが規制されたら、スタータ端子１０を正しい位置に支持させ、改めて蓋部３２の閉止操作を行うようにする。また、本体部３１に対するスタータ端子１０の位置ずれ量が誘い込み部６９の形成範囲にあれば、係止突部６８の挿入動作に伴い、誘い込み部６９の斜面に沿ってスタータ端子１０を正しい位置に位置させることが可能となる。このように係止突部６８が係止孔１８に嵌入されるか否かにより、スタータ端子１０の組み付け状態を検知することが可能となっている。
【００３５】
以上の構成から明らかなように、本実施形態によれば次の効果を奏する。  
端子保護カバー３０の係止突部６８がスタータ端子１０の係止孔１８に適合（整合）して嵌入されることにより、スタータ端子１０の遊動が確実に規制され、端子保護カバー３０に対するスタータ端子１０の全方向におけるがた付きを高い精度をもって抑えることができる。その結果、端子保護カバー３０の内面がスタータ端子１０のがた付きに起因して傷付くのを防止できる。
【００３６】
また、係止突部６８が蓋部３２に形成されているから、スタータ端子１０の上下方向のがた付きを確実に抑えることができる。つまり、スタータ端子１０は係止突部６８と底板３７との間に上下方向に遊動規制状態で挟持される。  
さらに、蓋部３２の閉止操作に伴い、係止突部６８が係止孔１８に嵌入されるから、組み付け作業性が良好となる。この場合、係止突部６８がスタータ端子１０の係止孔１８への挿入方向に沿って傾斜する誘い込み部６９を有するから、スタータ端子１０の組み付け作業性が良好となるのに加え、誘い込み部６９の斜面上に係止孔１８の上面開口縁が当接することにより、スタータ端子１０の上下方向の遊動を確実に規制することができる。
【００３７】
＜実施形態２＞
次に、本発明の実施形態２を図６ないし図１０によって説明する。  
実施形態２では、蓋部３２、本体部３１、及びカバー部４３からなる端子保護カバー３０と、スタータ端子１０とを備え、係止突部７１，７３及び係止孔２２，２３に対応する部位を除けば、実施形態１と同一の形態をなしている。よって、この実施形態２では、図面上、実施形態１と同一の構造部位に同一符号を付し、重複する説明は省略する。
【００３８】
係止孔２２，２３は、スタータ端子１０の板面方向に間隔をあけた２箇所において全周を閉じて構成されている。詳細には係止孔２２，２３は、スタータ端子１０の前部１１と中間部１３が連なる部位において幅方向に細長く延出される第１係止孔２２と、スタータ端子１０の中間部１３のうち後部１２寄りの位置において前後方向に細長く延出される第２係止孔２３とからなる。第１係止孔２２及び第２係止孔２３は互いに同形同大とされ、四隅がやや丸みを帯びた細長い四角形状をなしている。
【００３９】
一方、係止突部７１，７３は、本体部３１に設けられており、蓋部３２には設けられていない。詳細には係止突部７１，７３は、本体部３１の底板３７の支持面３６（上面）における間隔をあけた２箇所において柱状に起立する形態とされる。より詳細には係止突部７１，７３は、係止孔２２，２３と対応する形状であって、底板３７の前部側において幅方向に細長く延出される断面形状をもった第１係止突部７１と、蓋部３２及びカバー部４３寄りの位置においてヒンジ部３３の根元に沿うようにして前後方向に細長く延出される断面形状をもった第２係止突部７３とからなる。第１係止突部７１及び第２係止突部７３は、互いに同形同大とされ、その断面形状は四隅がやや丸みを帯びた細長い四角形状をなし、その上端は側板３８の上端とほぼ同じ高さに揃えられている。
【００４０】
そして、係止突部７１，７３は、スタータ端子１０の係止孔２２，２３への挿入方向に沿った傾斜する誘い込み部７２，７４を有している。詳細には誘い込み部７２，７４は、根元から先端にかけて全長に亘って次第に肉厚を減じる形態であり、対応する係止突部７１，７３の全周を切り欠いて構成されている。
【００４１】
実施形態２では、図９から図１０にかけて示すように、本体部３１の底板３７の支持面３６に対して電線９５付きのスタータ端子１０が上から降ろされる。すると、この取付操作の過程で、係止孔２２，２３内に対応する係止突部７１，７３が進入する。また、この取付操作の初期には、係止孔２２，２３に対して係止突部７１，７３の先端側が遊動状態で嵌入され、挿入抵抗の急激な上昇が抑えられる。一方、スタータ端子１０が底板３７の支持面３６に載せられて正規に取り付けられると、係止孔２２，２３内に係止突部７１，７３が遊動規制状態で緊密に嵌入され、スタータ端子１０のがた付きが確実に抑えられる。このとき、係止突部７１，７３の根元はスタータ端子１０の係止孔２２，２３の下面開口縁（入り口側開口縁）に対して全周に亘って圧着状態で当接している。
【００４２】
実施形態２によれば、スタータ端子１０が本体部３１に載せられるに伴い、係止突部７１，７３が端子の係止孔２２，２３に嵌入されるから、組み付け作業性がより良好となる。この場合、スタータ端子１０が正規の組付姿勢をとっていないと、係止突部７１，７３と係止孔２２，２３とが適合（整合）しないから、スタータ端子１０の誤組み付けを早い段階で検知することができる。
【００４３】
また、係止突部７１，７３及び係止孔２２，２３はスタータ端子１０の板面方向（底板３７の板面方向）に間隔をあけた二箇所以上の位置に設定されているから、スタータ端子１０に対してその板面方向に沿って回動させようとする力が作用した場合に、その力の作用方向にスタータ端子１０が位置ずれするのを確実に防止できる。
【００４４】
＜他の実施形態＞
本発明は上記記述及び図面によって説明した実施形態に限定されるものではなく、例えば次のような実施形態も本発明の技術的範囲に含まれる。  
（１）端子は、スタータ端子に限らず、バッテリ端子であってもよい。  
（２）ヒンジ部が無く、蓋部と本体部とが別体とされてもよい。  
（３）係止孔の孔面を菊座とし、この菊座の歯が係止突部の周面に食い込むことで、スタータ端子の係止突部からの抜け落ちを確実に防止した構造としてもよい。  
（４）蓋部と本体部の両方に係止突部が設けられ、これら係止突部がスタータ端子の係止孔に嵌入される構成であってもよい。  
（５）実施形態１では、本体部の底板にスタータ端子の係止孔と適合（整合）する孔を開設し、係止突部の先端がこの本体部の孔に嵌入される構成としてもよい。これにより、蓋部と本体部との間の位置ずれが規制される。  
（６）係止孔の孔形状及び係止突部の断面形状は、特に限定されないが、実施形態１及び実施形態２のような四角形状等の多角形状であると、スタータ端子の回動変位を規制できるので好ましい。  
（７）係止突部及び係止孔は、端子の板面方向に間隔をあけた三箇所以上の位置に設定されてもよい。
【図面の簡単な説明】
【００４５】
【図１】実施形態１における端子保護カバーの展開状態の平面図
【図２】端子保護カバーの展開状態の正面図
【図３】スタータ端子を支持した端子保護カバーの展開状態の平面図
【図４】係止突部が係止孔に適合して嵌入された状態を示す要部破断背面図
【図５】係止突部が係止孔に適合して嵌入された状態を示す側断面図
【図６】実施形態２における端子保護カバーの展開状態の平面図
【図７】端子保護カバーの展開状態の正面図
【図８】スタータ端子を支持した端子保護カバーの展開状態の平面図
【図９】スタータ端子を端子保護カバーに組み付ける前の状態を示す側断面図
【図１０】係止突部が係止孔に適合して嵌入された状態を示す側断面図
【符号の説明】
【００４６】
１０…スタータ端子（端子）
１８，２２，２３…係止孔
３０…端子保護カバー
３１…本体部
３２…蓋部
３７…底板
４３…カバー部
５５…覆い板
６８，７１，７３…係止突部
【図１】
2008288056.tif 000003
【図２】
2008288056.tif 000004
【図３】
2008288056.tif 000005
【図４】
2008288056.tif 000006
【図５】
2008288056.tif 000007
【図６】
2008288056.tif 000008
【図７】
2008288056.tif 000009
【図８】
2008288056.tif 000010
【図９】
2008288056.tif 000011
【図１０】
2008288056.tif 000012